(57)【特許請求の範囲】
【請求項１】
管理システム内でデバイスを一意に識別するためのデバイス識別子を用いて、該デバイスの利用実績を示すデータを管理する管理システムであって、
前記デバイス識別子を発行する発行手段と、
前記発行手段により発行されたデバイス識別子と、デバイスに固有なデバイス固有情報とを関連付けて保持する保持手段と、
前記管理システムとは異なる外部システムが保持する、デバイスの利用実績を示すデータを受け付ける受付手段と、
前記受付手段が受け付けたデータに係るデバイスのデバイス固有情報が前記保持手段により保持されているか否かを判定する判定手段と、
前記発行手段により発行されたデバイス識別子と、該デバイス固有情報とを関連付けて前記保持手段に登録する登録手段と、を有し、
前記保持手段は、デバイスが前記管理システムによる管理対象であるか否かを示す管理状態を更に保持し、
前記登録手段は、前記受付手段が受け付けたデータに係るデバイスのデバイス固有情報が前記保持手段により保持されていないと前記判定手段により判定された場合に、前記発行手段により発行されたデバイス識別子と、該デバイスのデバイス固有情報と、更に該デバイスが前記管理システムによる管理対象でないことを示す管理状態とを関連付けて前記保持手段に登録することを特徴とする管理システム。
【請求項２】
前記保持手段により保持される管理対象でないことを示す管理状態を、管理対象であることを示す管理状態に変更する変更手段を更に有することを特徴とする請求項１に記載の管理システム。
【請求項３】
前記保持手段は、前記管理システムを利用する各ユーザーがアクセス可能な記憶領域が各ユーザーの所属する複数のテナントに対応して管理されている場合に、前記複数のテナントのそれぞれについて、前記発行手段により発行されたデバイス識別子と、前記デバイス固有情報と、デバイスが前記管理システムによる管理対象であるか否かを示す管理状態とを関連付けて保持し、
前記判定手段は、前記複数のテナントについて、前記受付手段が受け付けたデータに係るデバイスのデバイス固有情報が、前記保持手段により保持されているか否かを判定し、
前記登録手段は、前記複数のテナントについて、前記受付手段が受け付けたデータに係るデバイスのデバイス固有情報が、前記保持手段により保持されていないと前記判定手段により判定された場合に、前記発行手段により発行されたデバイス識別子と、該デバイスのデバイス固有情報と、該デバイスが前記管理システムによる管理対象でないことを示す管理状態とを関連付けて、前記複数のテナントのいずれかについて、前記保持手段に登録することを特徴とする請求項１または２に記載の管理システム。
【請求項４】
前記登録手段は、前記複数のテナントのうちの第１のテナントについて、前記受付手段が受け付けたデータに係るデバイスのデバイス固有情報が、前記保持手段により保持されていると前記判定手段により判定された場合に、前記第１のテナントについて前記保持手段により保持されているデバイス識別子と、該デバイスのデバイス固有情報と、該デバイスが前記管理システムによる管理対象でないことを示す管理状態とを関連付けて、前記複数のテナントのうちの、前記第１のテナントとは異なる第２のテナントについて、前記保持手段に登録することを特徴とする請求項３に記載の管理システム。
【請求項５】
前記デバイス固有情報は、デバイスに固有に設定されている情報であることを特徴とする請求項１乃至４のいずれか１項に記載の管理システム。
【請求項６】
前記デバイス固有情報とは、少なくとも、該デバイスのシリアル番号と、該デバイスのＭＡＣアドレスとを含むことを特徴とする請求項５に記載の管理システム。
【請求項７】
前記保持手段は、前記管理システムによる管理対象であるデバイスのデバイス固有情報、および、前記管理システムによる管理対象でないデバイスのデバイス固有情報を保持し、
前記判定手段は、前記管理システムによる管理対象であるデバイスのデバイス固有情報だけでなく、前記管理システムによる管理対象でないデバイスのデバイス固有情報も含めて、前記受付手段が受け付けたデータに係るデバイスのデバイス固有情報が前記保持手段により保持されているか否かを判定することを特徴とする請求項１乃至６のいずれか１項に記載の管理システム。
【請求項８】
前記保持手段は、前記発行手段により発行されたデバイス識別子と、前記受付手段が受け付けたデータとを関連付けて更に保持し、
前記登録手段は、前記受付手段が受け付けたデータに係るデバイスのデバイス固有情報が前記保持手段により保持されていないと前記判定手段により判定された場合に、前記発行手段により発行されたデバイス識別子を用いて、前記受付手段が受け付けたデータを前記保持手段に更に登録し、前記受付手段が受け付けたデータに係るデバイスのデバイス固有情報が前記保持手段により保持されていると前記判定手段により判定された場合に、該デバイス固有情報と関連付けて前記保持手段により保持されているデバイス識別子を用いて、前記受付手段が受け付けたデータを前記保持手段に更に登録することを特徴とする請求項１乃至７のいずれか１項に記載の管理システム。
【請求項９】
管理システム内でデバイスを一意に識別するためのデバイス識別子と、デバイスに固有なデバイス固有情報とを関連付けて記憶装置に保持し、該デバイスの利用実績を示すデータを管理する管理システムの制御方法であって、
前記管理システムとは異なる外部システムが保持する、デバイスの利用実績を示すデータを受け付ける受付工程と、
前記受付工程で受け付けたデータに係るデバイスのデバイス固有情報が前記記憶装置で保持されているか否かを判定する判定工程と、
前記デバイス識別子を発行する発行工程と、
前記発行工程で発行されたデバイス識別子と、該デバイス固有情報とを関連付けて前記記憶装置に登録する登録工程と、を有し、
前記記憶装置では、デバイスが前記管理システムによる管理対象であるか否かを示す管理状態が更に保持され、
前記登録工程では、前記受付工程で受け付けたデータに係るデバイスのデバイス固有情報が前記記憶装置で保持されていないと前記判定工程で判定された場合に、前記発行工程で発行されたデバイス識別子と、該デバイスのデバイス固有情報と、更に該デバイスが前記管理システムによる管理対象でないことを示す管理状態とを関連付けて前記記憶装置に登録することを特徴とする制御方法。
【請求項１０】
前記記憶装置で保持される管理対象でないことを示す管理状態を、管理対象であることを示す管理状態に変更する変更工程を更に有することを特徴とする請求項９に記載の制御方法。
【請求項１１】
前記記憶装置では、前記管理システムを利用する各ユーザーがアクセス可能な記憶領域が各ユーザーの所属する複数のテナントに対応して管理されている場合に、前記複数のテナントのそれぞれについて、前記発行工程で発行されたデバイス識別子と、前記デバイス固有情報と、デバイスが前記管理システムによる管理対象であるか否かを示す管理状態とが関連付けて保持され、
前記判定工程では、前記複数のテナントについて、前記受付工程で受け付けたデータに係るデバイスのデバイス固有情報が、前記記憶装置で保持されているか否かを判定し、
前記登録工程では、前記複数のテナントについて、前記受付工程で受け付けたデータに係るデバイスのデバイス固有情報が、前記記憶装置で保持されていないと前記判定工程で判定された場合に、前記発行工程で発行されたデバイス識別子と、該デバイスのデバイス固有情報と、該デバイスが前記管理システムによる管理対象でないことを示す管理状態とを関連付けて、前記複数のテナントのいずれかについて、前記記憶装置に登録することを特徴とする請求項９または１０に記載の制御方法。
【請求項１２】
前記登録工程では、前記複数のテナントのうちの第１のテナントについて、前記受付工程で受け付けたデータに係るデバイスのデバイス固有情報が、前記記憶装置で保持されていると前記判定工程で判定された場合に、前記第１のテナントについて前記記憶装置で保持されているデバイス識別子と、該デバイスのデバイス固有情報と、該デバイスが前記管理システムによる管理対象でないことを示す管理状態とを関連付けて、前記複数のテナントのうちの、前記第１のテナントとは異なる第２のテナントについて、前記記憶装置に登録することを特徴とする請求項１１に記載の制御方法。
【請求項１３】
前記デバイス固有情報は、デバイスに固有に設定されている情報であることを特徴とする請求項９乃至１２のいずれか１項に記載の制御方法。
【請求項１４】
前記デバイス固有情報とは、少なくとも、該デバイスのシリアル番号と、該デバイスのＭＡＣアドレスとを含むことを特徴とする請求項１３に記載の制御方法。
【請求項１５】
前記記憶装置では、前記管理システムによる管理対象であるデバイスのデバイス固有情報、および、前記管理システムによる管理対象でないデバイスのデバイス固有情報が保持され、
前記判定工程では、前記管理システムによる管理対象であるデバイスのデバイス固有情報だけでなく、前記管理システムによる管理対象でないデバイスのデバイス固有情報も含めて、前記受付工程で受け付けたデータに係るデバイスのデバイス固有情報が前記記憶装置で保持されているか否かが判定されることを特徴とする請求項９乃至１４のいずれか１項に記載の制御方法。
【請求項１６】
前記記憶装置では、前記発行工程で発行されたデバイス識別子と、前記受付工程で受け付けたデータとが関連付けて更に保持され、
前記登録工程では、前記受付工程で受け付けたデータに係るデバイスのデバイス固有情報が前記記憶装置で保持されていないと前記判定工程で判定された場合に、前記発行工程で発行されたデバイス識別子を用いて、前記受付工程で受け付けたデータを前記記憶装置に更に登録し、前記受付工程で受け付けたデータに係るデバイスのデバイス固有情報が前記記憶装置で保持されていると前記判定工程で判定された場合に、該デバイス固有情報と関連付けて前記記憶装置で保持されているデバイス識別子を用いて、前記受付工程で受け付けたデータを前記記憶装置に更に登録することを特徴とする請求項９乃至１５のいずれか１項に記載の制御方法。
【請求項１７】
請求項９または１０に記載の手段としてコンピュータに機能させるためのプログラム。
【発明の詳細な説明】
【技術分野】
【０００１】
本発明は、ネットワークデバイスのデータを管理する管理システムに関し、特に管理システムに対して外部システムで保持されていた利用実績データを登録するための技術に関する。
【背景技術】
【０００２】
画像形成装置（プリンタ、複合機など）を含むネットワークデバイス（以降、デバイスと称する）を一元管理するための管理システムがある。管理システムは、管理対象のデバイスから、ネットワークを介してログデータなどを定期的に収集して、デバイス利用実績をレポーティングする機能などを持つ。例えば、特許文献１には、同様の管理システムが、デバイスごとの印刷ページ数の集計結果をレポートするための技術が開示されている。
【０００３】
レポーティングなどのサービスを実現するために、管理システムは、まず、ネットワークを介して探索されたデバイスのシリアル番号やＭＡＣアドレスなど、デバイスに設定されるデバイス固有情報をシステム内に登録する。そして、管理システムは、システム内でデバイスを一意に識別するためのデバイス識別子を発行し、発行されたデバイス識別子を用いて管理対象のデバイスの利用実績データを管理する。
【先行技術文献】
【特許文献】
【０００４】
【特許文献１】特開２０１２−５３５４４号公報
【発明の概要】
【発明が解決しようとする課題】
【０００５】
上述した管理システムでは、外部システムが保持する、デバイスの利用実績データを登録する場合がある。外部システムとは例えば、別のデバイス管理システムなどである。利用者の利用する管理システムが他の管理システムへ移行される際に、今まで利用していた管理システムが保持しているデータを、移行後に利用する管理システムに移すことが考えられる。
【０００６】
上述したようにデバイスの利用実績データを登録し、管理する際には、移行先となった前述の管理システムにおいては、そのデバイスのデバイス識別子が必要となる。外部システムが保持するデータに係るデバイスは、移行先の管理システムの管理対象ではない場合がある。そのような場合であっても、デバイスの利用実績データを登録するために、管理システムは、デバイス固有情報を登録し、デバイス識別子を発行する必要がある。
【０００７】
ところで、管理システムには、管理対象のデバイスの情報を一覧表示したり、管理対象のデバイスの利用実績をレポーティングしたりする機能がある。管理対象のデバイスの一覧表示には、管理対象でないデバイスを含めないようにする必要がある。そのため、管理システムは、外部システムが保持するデータの登録後には、該データに係る管理対象外のデバイスのデバイス固有情報をシステム内から削除することが考えられる。この処理によって、管理対象でないデバイスを含めずに、管理対象のデバイスを一覧表示するといった処理が可能となる。
【０００８】
しかしながら、管理対象外のデバイスのデバイス固有情報を削除した場合に、他の外部システムが保持する、該管理対象外のデバイスと同一のデバイスの利用実績データがさらに登録される場合には、異なるデバイス識別子が発行され、異なるデバイスの利用実績データとして登録されるおそれがある。また、当初は移行先の管理システムの管理対象でなかったデバイスを、デバイス利用者などの要望によって、後に、移行先の管理システムの管理対象に加える場合も考えられる。そのような場合も、前述の管理対象外のデバイスのデバイス固有情報の削除後では、同一のデバイスに対して、異なるデバイス識別子が発行され管理される恐れがある。そのため、そのデバイスから利用実績データが収集された場合には、収集された利用実績データが、登録済みの外部システムからの利用実績データとは、異なるデバイスのデータとして登録されるおそれがある。
【０００９】
その結果、上述した特許文献１などで開示される技術を用いてデバイスごとの印刷ページ数の集計結果をレポートする際に、同一のデバイスの利用実績データが、異なるデバイスの利用実績データとしてレポートされることが起こり得る。
【００１０】
そこで、本発明は、管理システムに対して外部システムで保持されていた利用実績データが登録される際に、管理システムの管理対象のデバイスとは区別して、その利用実績データに係るデバイスの情報を登録できる仕組みを提供することを目的とする。
【課題を解決するための手段】
【００１１】
上記課題を解決するために、本発明の管理システムは、管理システム内でデバイスを一意に識別するためのデバイス識別子を用いて、該デバイスの利用実績を示すデータを管理する管理システムであって、前記デバイス識別子を発行する発行手段と、前記発行手段により発行されたデバイス識別子と、デバイスに固有なデバイス固有情報とを関連付けて保持する保持手段と、前記管理システムとは異なる外部システムが保持する、デバイスの利用実績を示すデータを受け付ける受付手段と、前記受付手段が受け付けたデータに係るデバイスのデバイス固有情報が前記保持手段により保持されているか否かを判定する判定手段と、前記発行手段により発行されたデバイス識別子と、該デバイス固有情報とを関連付けて前記保持手段に登録する登録手段と、を有し、前記保持手段は、デバイスが前記管理システムによる管理対象であるか否かを示す管理状態を更に保持し、前記登録手段は、前記受付手段が受け付けたデータに係るデバイスのデバイス固有情報が前記保持手段により保持されていないと前記判定手段により判定された場合に、前記発行手段により発行されたデバイス識別子と、該デバイスのデバイス固有情報と、更に該デバイスが前記管理システムによる管理対象でないことを示す管理状態とを関連付けて前記保持手段に登録することを特徴とする。
【発明の効果】
【００１２】
本発明によれば、管理システムに対して外部システムで保持されていた利用実績データが登録される際に、管理システムの管理対象のデバイスとは区別して、その利用実績データに係るデバイスの情報を登録することができる。
【図面の簡単な説明】
【００１３】
【図１】本発明の実施形態におけるシステム構成を示す図である。
【図２】情報処理装置のハードウェア構成の一例を示すブロック図である。
【図３】監視装置１０２の機能構成の一例を示すブロック図である。
【図４】管理サーバー１０３の機能構成の一例を示す図である。
【図５】情報端末１０４の機能構成の一例を示す図である。
【図６】デバイス情報テーブルの一例を示す図である。
【図７】集計結果テーブルの一例を示す図である。
【図８】外部システムが保持するデータの一例を示す図である。
【図９】外部システムが保持するデータの登録処理の手順例を示すフローチャートである。
【図１０】デバイス情報の登録・変更処理の手順例を示すフローチャートである。
【図１１】実施例２における管理サーバー１０３の機能構成の一例を示す図である。
【図１２】実施例２におけるテナント情報テーブルの一例を示す図である。
【図１３】実施例２におけるデバイス情報テーブルの一例を示す図である。
【図１４】実施例２におけるデバイス情報の登録・変更処理の手順例を示すである。
【発明を実施するための形態】
【００１４】
以下、本発明を実施するための最良の形態について図面を用いて説明する。
【００１５】
（実施例１）
＜システム構成＞
図１は、本発明の実施形態におけるシステム構成を示す図である。
【００１６】
デバイス１０１は、ネットワークに接続された、管理対象のネットワークデバイスである。本実施例におけるネットワークデバイスは、プリンタや複写機などの画像形成装置である。他のネットワークデバイスの例として、例えば、プリンタ装置、デジタル複合機、スキャナなどの周辺機器や、デジタルカメラ、スマートフォンなどの電子機器が挙げられる。
【００１７】
監視装置１０２は、デバイス１０１が設置されるネットワーク環境内で、イントラネットなどのネットワークを介してデバイス１０１から各種データを収集し、管理サーバー１０３に送信する。また、監視装置１０２は、ネットワーク上に存在するデバイス１０１を探索し、探索結果に係るデバイスの情報を管理サーバー１０３に送信する。デバイス１０１が設置されるネットワーク環境には、例えば、デバイス１０１を保有する顧客のネットワーク環境がある。また、管理サーバー１０３に対して、複数のネットワーク環境のそれぞれに設置された監視装置１０２が通信してデバイスの情報を送信する場合でも、本発明は適用可能である。
【００１８】
管理サーバー１０３は、監視装置１０２が送信したデータを受信して管理する。また、管理サーバー１０３は、情報端末１０４に対して、デバイス固有情報やデバイスの利用実績データの登録や変更などの操作を行うためのＷｅｂページを提供する。さらに、管理サーバー１０３は、不図示の外部システムに対して、デバイス固有情報やデバイスの利用実績データの登録や変更などを行うためのＷｅｂＡＰＩを提供する。管理サーバー１０３は、１以上のサーバーコンピュータである。また、管理サーバー１０３は、１以上の仮想マシン上で、その機能が実現されてもよい。仮想マシンとは、仮想化技術によって、サーバーコンピュータを物理的な構成にとらわれずに論理的な単位で分割または統合し、それぞれが独立したオペレーティングシステムをもって動作する論理的なコンピュータである。
【００１９】
情報端末１０４は、ユーザーが使用するＰＣ（Ｐｅｒｓｏｎａｌ  Ｃｏｍｐｕｔｅｒ）である。ユーザーは、管理システムを利用して、デバイスを保有する顧客にレポーティングサービスを提供する。また、ユーザーは、管理サーバー１０３が提供して、情報端末１０４に表示されるＷｅｂページを使用して、デバイス固有情報やデバイスの利用実績データの登録や変更などの操作を行う。また、ユーザーは、情報端末１０４を用いて、外部システム（不図示）が保持するデバイス利用実績データを登録する。
【００２０】
デバイス１０１、監視装置１０２、管理サーバー１０３、および、情報端末１０４は、既知の技術によるネットワークを介して相互に通信可能に接続されている。本実施例では、デバイス１０１と監視装置１０２がイントラネットを介して接続され、監視装置１０２と管理サーバー１０３がインターネット１０５を介して接続されている。なお、監視装置１０２がインターネット上に存在し、デバイス１０１と監視装置１０２がインターネットを介して接続されるような構成でもよい。また、管理サーバー１０３がイントラネット上に存在し、監視装置１０２と管理サーバー１０３がイントラネットを介して接続されるような構成でもよい。
【００２１】
＜情報処理装置の内部構成＞
図２は、情報処理装置のハードウェア構成の一例を示す図である。本実施例における情報処理装置としては、監視装置１０２、管理サーバー１０３、情報端末１０４がある。なお、管理サーバー１０３が仮想マシンである場合においては、管理サーバー１０３として機能する仮想マシンが動作するサーバーコンピュータも、情報処理装置に含まれる。
【００２２】
情報処理装置は、ＲＯＭ２５３に格納されているプログラムを実行するＣＰＵ２５１を備え、内部バス２５６を介して各デバイスを総括的に制御する。内部バス２５６には、ＲＡＭ２５２、ＲＯＭ２５３、記憶装置２５４、ネットワークＩ／Ｆ２５５、入出力Ｉ／Ｆ２５７が接続されている。また入出力Ｉ／Ｆ２５７は、例えばＰＳ／２やＵｎｉｖｅｒｓａｌ  Ｓｅｒｉａｌ  Ｂｕｓ（ＵＳＢ  Ｉ／Ｆ）、アナログやデジタルのディスプレイＩ／Ｆを備える。入出力Ｉ／Ｆ２５７により、情報処理装置に対して、不図示のキーボードやマウス、ＣＲＴや液晶ディスプレイなどを接続することができる。情報処理装置はネットワークＩ／Ｆ２５５によりＬＡＮ、イントラネット環境、インターネットを介した通信を行う。それにより、情報処理装置は、ネットワークデバイスや、他の情報処理装置と通信を行うことができる。ＣＰＵ２５１は、ＲＡＭ２５２やＲＯＭ２５３と共にプログラムの実行処理を行う。さらに、ＣＰＵ２５１は、仮想化技術を実現するためのプログラムを実行することも可能である。また、ＣＰＵ２５１は、記憶装置２５４等の記録媒体にデータを記録する処理を行う。記憶装置２５４は外部記憶装置として機能し、様々な情報を記憶するほか、ＲＡＭ２５２に代わって、各種システム情報及び処理情報を保存することも可能である。
【００２３】
＜監視装置の機能構成＞
図３は、監視装置１０２の機能構成の一例を示すブロック図である。
【００２４】
通信部３０１は、ネットワークを介してデバイス１０１や管理サーバー１０３と通信を行う。
【００２５】
データ収集部３０２は、デバイス１０１から各種データ（例えば、カウンター、ジョブログ、ステータス情報など）を収集し、管理サーバー１０３に対して送信する。また、デバイス１０１が監視装置１０２に対してデータを送信し、その後データ収集部３０２が受信したデータを管理サーバー１０３に対して送信するようにしても良い。データ収集部３０２がデータを収集するタイミングは、予め監視装置１０２内のスケジュールで定められていてもよい。また、デバイス１０１が監視装置１０２に対してデータを送信するタイミングは、予めデバイス１０１内のスケジュールで定められていてもよい。
【００２６】
デバイス探索部３０３は、ネットワーク上に存在するデバイス１０１を探索する。デバイス探索部３０３は、探索されたデバイスの情報を、管理サーバー１０３に対して送信する。
【００２７】
＜管理サーバーの機能構成＞
図４は、管理サーバー１０３の機能構成の一例を示すブロック図である。
【００２８】
通信部４０１は、ネットワークを介して監視装置１０２や情報端末１０４と通信を行う。
【００２９】
デバイス情報管理部４０２は、デバイス探索部３０３によって探索されたデバイスに固有な情報を監視装置１０２から受け付けて、後述するデバイス情報テーブル（図６）に登録して保持する。デバイス情報管理部４０２は、デバイス情報テーブルを管理サーバー１０３の内部の記憶装置によって保持する。また、デバイス情報テーブルは、ネットワークを介したデータベースサービスサーバーなどの記憶装置を用いて保持されてもよい。また、デバイス情報テーブルは、それらの記憶装置に分散して保持されてもよい。本実施例でのデバイス固有情報とは、デバイス名、シリアル番号、ＭＡＣアドレスを指し、デバイス自身に設定されている、固有な情報のことである。
【００３０】
また、デバイス情報管理部４０２は、外部システム（不図示）が保持するデータを受け付けて、該データに係るデバイス固有情報を、デバイス情報テーブルに登録して保持する。なお、本実施例において、デバイス情報とは、デバイス識別子、デバイス固有情報、および、デバイスの管理状態を指す。
【００３１】
また、ユーザーは、管理サーバー１０３によって情報端末１０４の画面上に提供されるＷｅｂページを使用して、デバイス情報管理部４０２で管理されるデバイス固有情報の登録や変更などを行うことができる。さらに、外部システムは、管理サーバー１０３によって提供されるＷｅｂＡＰＩを使用して、デバイス情報管理部４０２で管理されるデバイス固有情報の登録や変更などを行うことができる。
【００３２】
収集データ管理部４０３は、データ収集部３０２で収集された収集データを監視装置１０２から受け取り、収集データを登録して保持する。収集データとは、具体的には、デバイスのカウンター情報やジョブログ情報、ステータス情報などである。さらに、収集データ管理部４０３は、収集データを単位期間あたりで集計した結果などを、後述する集計結果テーブル（図７）を用いて管理する。例えば、カウンターやジョブログから、各月のデバイスでの印刷ページ数などで表されるデバイスの利用実績を集計した結果を管理する。収集データ管理部４０３は、集計結果テーブルを管理サーバー１０３の内部の記憶装置によって保持する。また、集計結果テーブルは、ネットワークを介したデータベースサービスサーバーなどの記憶装置を用いて保持されてもよい。また、集計結果テーブルは、それらの記憶装置に分散して保持されてもよい。
【００３３】
また、ユーザーは、管理サーバー１０３によって情報端末１０４の画面上に提供されるＷｅｂページを使用して、収集データ管理部４０３で管理される収集データの登録や変更などを行うことができる。さらに、外部システムは、管理サーバー１０３によって提供されるＷｅｂＡＰＩを使用して、収集データ管理部４０３で管理される収集データの登録や変更などを行うことができる。
【００３４】
＜情報端末の機能構成＞
図５は、情報端末１０４の機能構成の一例を示すブロック図である。
【００３５】
通信部５０１は、Ｗｅｂブラウザ５０２からの通信要求を受けてネットワークＩ／Ｆ２５５を経由してＨＴＴＰまたはＨＴＴＰＳプロトコルを用いることで、管理サーバー１０３と通信を行う。具体的には、通信部５０１は、Ｗｅｂページの要求や、データの送受信などの通信を行う。
【００３６】
Ｗｅｂブラウザ５０２は、ＨＴＭＬデータを解釈し、情報端末１０４の液晶ディスプレイ（不図示）へ画面描画を行い、キーボード等からのユーザー操作を受け付け、通信部５０１へ要求を送信する。
【００３７】
＜デバイス情報テーブル＞
図６は、管理サーバー１０３のデバイス情報管理部４０２が保持するデバイス情報の構成の一例を示す、デバイス情報テーブルの図である。本実施例のデバイス情報テーブルは、デバイスＩＤ６０１、デバイス名６０２、シリアル番号６０３、ＭＡＣアドレス６０４、および、管理状態６０５の設定項目で構成される。なお、図６に示すデバイス情報テーブルの設定項目の構成について、一部の構成が異なっていてもよい。
【００３８】
図６−Ａは、外部システムが保持する過去の集計データが登録される前のデバイス情報テーブルを示す図である。図６−Ｂは、図６−Ａで示されるデータに、過去の集計データに係るデバイスのデバイス情報６１０が追加された後のデバイス情報テーブルを示す図である。外部システムが保持するデータの登録処理について、図９を用いて後述する。
【００３９】
デバイスＩＤ６０１は、本管理システム内でデバイスを一意に識別するための識別子である。デバイスＩＤ６０１は、新規のデバイス固有情報が登録される際に、デバイス情報管理部４０２によって発行される。
【００４０】
デバイス名６０２は、デバイスの名称である。シリアル番号６０３は、デバイスのシリアル番号である。ＭＡＣアドレス６０４は、デバイスのＭＡＣアドレスである。本実施例でのデバイス固有情報とは、デバイス名６０２、シリアル番号６０３、および、ＭＡＣアドレス６０４といったデバイスで設定されている各デバイスに固有な情報を指す。管理対象のデバイスのデバイス固有情報については、監視装置１０２がデバイスから取得して管理サーバー１０３へ送信する。また、管理対象でないデバイスのデバイス固有情報については、ユーザーや外部システムがＷｅｂページやＷｅｂＡＰＩを使用して管理サーバー１０３に登録する。
【００４１】
管理状態６０５は、デバイスの管理状態を示す情報である。例えば、管理サーバー１０３によって管理対象のデバイスの場合は、管理状態６０５は「管理中」と設定され、また、管理サーバー１０３によって管理対象でないデバイスの場合は、管理状態６０５は「管理外」と設定される。管理対象のデバイスとは、データ収集部３０２によるデータ収集対象のデバイスをいう。また、管理対象でないデバイスとは、データ収集部３０２によるデータ収集対象でないデバイスをいう。
【００４２】
例えば、監視装置１０２が設置されるネットワーク環境内で、古いデバイスから新しいデバイスに置き換えられる場合がある。そのような場合に、デバイス情報管理部４０２は、管理状態６０５を「管理外」と設定変更して、古いデバイスのデバイス識別子およびデバイス固有情報を削除せずに保持する。このように、管理システムにおいて、管理対象から除外されたデバイスのデバイス情報を保持することで、管理対象から除外されたデバイスのデバイス情報を参照するか否かを、提供される機能ごとに切り替えることが考えられる。例えば、現在管理中のデバイスを一覧表示する機能では、管理対象から除外されたデバイスのデバイス情報を参照しないようにする。一方、利用実績データを分析・レポーティングする機能では、デバイスの利用実績の年間推移などを確認するために、現在は管理されていないデバイスの利用実績データも参照するようにする。
【００４３】
ユーザーは、管理サーバー１０３によって情報端末１０４の画面上に提供されるＷｅｂページを使用して、６０２〜６０５の各項目の値の登録や変更などを行うことができる。
【００４４】
また、外部システムは、管理サーバー１０３によって提供されるＷｅｂＡＰＩを使用して、収集データ管理部４０３で管理される収集データの登録や変更などを行うことができる。
【００４５】
＜集計結果テーブル＞
図７は、管理サーバー１０３の収集データ管理部４０３が保持する集計結果情報の構成の一例を示す、集計結果テーブルの図である。図７では、管理サーバー１０３の収集データ管理部４０３が、各デバイスについて月ごとに利用実績データを集計した集計結果の例を示す。本実施例の集計結果テーブルは、年月７０１、デバイスＩＤ７０２、および、印刷ページ数７０３の設定項目で構成される。なお、図７に示す集計結果テーブルの設定項目の構成について、一部の構成が異なっていてもよい。また、集計期間は、一か月でなくてもよい。
【００４６】
図７−Ａは、図９を用いて後述する外部システムが保持するデータの登録処理において、過去のデバイス利用実績データが登録される前の集計結果テーブルを示す図である。図７−Ｂは、図７−Ａで示されるデータに、過去のデバイス利用実績データ７１０〜７１７が追加された集計結果テーブルを示す図である。図７−Ａと図７−Ｂとの差異の詳細については、図９の説明の際に述べる。
【００４７】
年月７０１は、該当行の集計結果に係るデバイス利用実績データの集計期間を示す。
デバイスＩＤ７０２は、該当行の集計結果に係るデバイスを示す。
印刷ページ数７０３は、該当行の月にデバイスで印刷されたページ数を示す。
【００４８】
＜外部システムが保持するデータ＞
図８は、管理サーバー１０３の収集データ管理部４０３が受信する外部システムが保持するデータの構成の一例を示す図である。本実施例の外部システムが保持するデータは、図７に示した集計結果テーブルに登録される、過去のデバイス利用実績の集計結果データの例である。外部システムが保持するデータ（以降、外部データと呼ぶ場合もある。）は、ユーザーや外部システムによって作成され、ＷｅｂページやＷｅｂＡＰＩを使用して管理サーバー１０３に登録される。外部データの登録処理の詳細については、図９を用いて後述する。また、外部データは、ＣＳＶやＸＭＬやＪＳＯＮなどの形式で受信されるが、本実施例では表形式で示す。
【００４９】
年月８０１は、該当行の集計結果に係るデバイス利用実績データの集計期間を示す。
デバイス名８０２、デバイスのシリアル番号８０３、および、デバイスのＭＡＣアドレス８０４は、該当行の集計結果に係るデバイス固有情報を示す。
印刷ページ数８０５は、該当行の月にデバイスで印刷されたページ数を示す。
【００５０】
＜外部データの登録処理＞
図９は、管理サーバー１０３の収集データ管理部４０３が実行する外部データの登録処理の手順例を示すフローチャートである。本処理は、外部システムが保持する、デバイスの利用実績データを、デバイスＩＤを用いて登録するための処理である。本処理は、ＷｅｂページやＷｅｂＡＰＩを使用し、ユーザーや外部システムによって外部データの登録指示が行われた際に実行される。
【００５１】
外部データの登録処理を開始されると、収集データ管理部４０３は、図８で示した外部データ８１０〜８１７を受付けた後、未処理のデータがなくなるまで、Ｓ９０１〜Ｓ９０７のループ処理を繰り返し実行する。
【００５２】
Ｓ９０２で、収集データ管理部４０３は、処理中のデータに係るデバイスのデバイスＩＤが、デバイス情報テーブル（図６）に登録済であるか否かを確認する。本判定で収集データ管理部４０３は、処理中のデータに含まれるデバイス固有情報が、処理中のデータに係るデバイスがデバイス情報テーブル（図６）に登録済であるか否かを、デバイス情報管理部４０２に問い合わせる。この判定で、収集データ管理部４０３は、例えば、シリアル番号８０３とＭＡＣアドレス８０４を用いる。このとき、デバイス情報管理部４０２は、管理状態６０５が「管理外」であるデバイスも含め、デバイス情報テーブル（図６）に登録済であるか否かを確認する。「管理中」のデバイスだけでなく「管理外」のデバイスも含めてデバイス固有情報が登録済みであるかどうかを判定することで、管理されていないデバイスと同じデバイスのデバイス固有情報の重複登録を防ぐことができる。
【００５３】
ここで、収集データ管理部４０３が、デバイス情報テーブル（図６）に登録済であると判定した場合はＳ９０３に処理を進める。一方、収集データ管理部４０３が、処理中のデータに係るデバイスがデバイス情報テーブル（図６）に登録済ではないと判定した場合はＳ９０４に処理を進める。
【００５４】
続いてＳ９０３で、収集データ管理部４０３は、デバイス情報管理部４０２を経由し、デバイス情報テーブル（図６）から、処理中のデータに係るデバイスのデバイスＩＤ６０１を取得する。
【００５５】
一方Ｓ９０４で、収集データ管理部４０３は、デバイス情報管理部４０２に対して、処理中のデータに係るデバイス固有情報を、デバイス情報テーブルに登録するように指示する。収集データ管理部４０３からの指示を受けたデバイス情報管理部４０２は、図１０を用いて後述するデバイス情報の登録・変更処理を実行する。このとき、ここで、収集データ管理部４０３は、管理状態６０５を「管理外」として、登録するように指示する。また、デバイス情報管理部４０２は、新規登録するデバイス固有情報に対して、新規のデバイスＩＤ６０１を発行する。デバイス情報管理部４０２は、管理状態６０５を「管理外」として、管理対象でないデバイスのデバイス固有情報を登録することで、管理されていないデバイスのデバイス情報を適切に管理することができる。
【００５６】
続いてＳ９０５で、収集データ管理部４０３は、デバイス情報管理部４０２を経由し、デバイス情報テーブル（図６）から、Ｓ９０４で登録したデバイス情報のデバイスＩＤ６０１を取得する。
【００５７】
続いてＳ９０６で、収集データ管理部４０３は、Ｓ９０３またはＳ９０５で取得したデバイスＩＤ６０１を用いて、処理中のデータを集計結果テーブル（図７）に登録する。この時、処理中のデータに係るデバイスのデバイスＩＤ７０２は、Ｓ９０３またはＳ９０５で取得したデバイスＩＤ６０１と同一のデバイスＩＤとなる。
【００５８】
続いてＳ９０７で、収集データ管理部４０３は、Ｓ９０１〜Ｓ９０７の処理を行っていないデータがあるか否かを判定する。ここで、収集データ管理部４０３が、Ｓ９０１〜Ｓ９０７の処理を行っていないデータがあると判定した場合はＳ９０１に戻り処理を繰り返す。一方、収集データ管理部４０３が、Ｓ９０１〜Ｓ９０７の処理を行っていないデータがないと判定した場合は、本処理を終了する。
【００５９】
図８の過去の集計結果データ８１０〜８１７を、本処理により登録すると、図７−Ａの集計結果テーブルは、集計結果データ７１０〜７１７が追加され、図７−Ｂの状態となる。また、図６−Ａのデバイス情報テーブル（図６）は、デバイス情報６１０が追加され、図６−Ｂの状態となる。ここで、図８の過去の集計結果データ８１３のデバイス固有情報は、図６−Ａの状態のデバイス情報テーブル（図６）には登録されていない。そのため、Ｓ９０４の処理により、管理状態６０５が管理外のデバイス情報６１０としてデバイス情報テーブル（図６）に追加される。さらに、Ｓ９０６で、過去の集計結果データ８１３は、新規にデバイス固有情報を登録したことにより発行されたデバイスＩＤを設定した集計データ７１３として集計結果テーブル（図７）に追加される。また、過去の集計結果データ８１７は、８１３のデバイス固有情報と同一であるため、８１３と同じデバイスＩＤを設定した集計データ７１７として集計結果テーブル（図７）に追加される。
【００６０】
本処理により、外部データに現システムで管理対象ではないデバイスのデータが含まれる場合であっても、外部データ登録時にデバイス固有情報を登録することで、各期間や各種データ間でデバイスを適切に識別して分析可能となる。また、デバイスの管理状態を管理外としてデバイス固有情報を登録することで、管理中のデバイスのみを一覧表示する機能などには影響を与えずにデバイス情報を管理できる。
【００６１】
＜デバイス情報の登録・変更処理＞
図１０は、管理サーバー１０３のデバイス情報管理部４０２が実行するデバイス固有情報の登録・変更処理の手順例を示すフローチャートである。本処理は、ＷｅｂページやＷｅｂＡＰＩを使用し、ユーザーや外部システムによってデバイス固有情報の登録指示が行われた際に実行する処理である。
【００６２】
Ｓ１００１で、デバイス情報管理部４０２は、登録対象のデバイス固有情報が、デバイス情報テーブル（図６）に登録済であるか否かを判定する。本判定では、登録対象のデバイス固有情報（シリアル番号、ＭＡＣアドレスなどのデバイスの識別情報となり得る情報）をもとに、登録対象のデバイス固有情報が、デバイス情報テーブル（図６）に登録済であるか否かを判定する。また、管理状態６０５が管理外であるデバイス固有情報も含め、デバイス情報テーブル（図６）に登録済であるか否かを判定する。ここで、デバイス情報管理部４０２が、デバイス情報テーブル（図６）に登録済であると判定した場合はＳ１００３に進む。一方、デバイス情報管理部４０２が、デバイス情報テーブル（図６）に登録済ではないと判定した場合はＳ１００２に進む。
【００６３】
続いてＳ１００２で、デバイス情報管理部４０２は、デバイス固有情報を新規追加し、本処理を終了する。このとき、デバイス情報管理部４０２は、新規登録されるデバイスに対して、新規のデバイスＩＤ６０１を発行する。
【００６４】
一方Ｓ１００３で、デバイス情報管理部４０２は、登録対象のデバイスの管理状態６０５に変更する必要があるか否かを判定する。ここで、デバイス情報管理部４０２が、管理状態６０５に変更する必要があると判定した場合はＳ１００４に進む。一方、デバイス情報管理部４０２が、管理状態６０５に変更する必要がないと判定した場合は本処理を終了する。
【００６５】
続いてＳ１００４で、デバイス情報管理部４０２は、登録済のデバイスの管理状態６０５を変更する。例えば、「管理外」として登録されていたデバイスが管理対象となる場合に、デバイス情報管理部４０２は、管理状態６０５を「管理中」に変更する。
【００６６】
一方Ｓ１００５で、デバイス情報管理部４０２は、新規登録対象のデバイス固有情報は既に登録されているため重複エラーであると判定し、本処理を終了する。
【００６７】
本処理では、デバイス固有情報の登録時に、デバイス情報管理部４０２は、登録対象のデバイスのデバイス固有情報が、デバイスの管理状態が「管理中」または「管理外」のデバイスとして、登録されているかを判定する。デバイス固有情報が登録されていなければ、新規のデバイス識別子が発行されて、デバイス固有情報が登録される。また、「管理外」として登録されているデバイスが管理対象となる場合、デバイス情報管理部４０２は、デバイス固有情報の新規追加をせずに、既に登録されているデバイスについて管理状態を「管理中」に変更する。
【００６８】
本実施例によって、外部システムが保持するデータを登録する際に、管理対象のデバイスのデバイス固有情報と区別して、管理対象でないデバイスのデバイス固有情報を管理することができる。また、管理対象でなかったデバイスが新たに管理対象となった場合に、デバイスの管理状態を変更することで、同一のデバイスに対して異なるデバイス識別子が発行されることなく、デバイス固有情報を管理することができる。
【００６９】
（実施例２）
本実施例では、マルチテナントを用いてデバイス管理を行う場合の実施例について説明する。例えば、クラウドシステムでは、システムを利用する顧客のデータを、顧客ごとの専用の記憶領域であるテナントの単位で管理する。通常、クラウドシステムでは、顧客ユーザーが自分の所属するテナントのデータにしかアクセスできないようにアクセスを制御する。このように、管理システムを利用する各ユーザーがアクセス可能な記憶領域が、各ユーザーの所属する複数のテナントに対応して管理されている。
【００７０】
一方、クラウドシステムを利用する顧客によっては、会社の拠点やグループ会社を、別のテナントとして管理して、一部の機能についてはテナントを跨いで利用したいというケースがある。例えば、前述した収集データの分析機能などでは、別テナントである会社の各拠点のデータも一緒に分析したいという要望がある。このような場合、クラウドシステムでは、テナント間にアクセス権を設定し、アクセスが許可されているテナント間でデータをやりとりし、複数テナントを跨った機能を実現する。
【００７１】
また、会社の拠点などを別テナントにしている場合には、テナント間でデバイスの移動が発生する。このような場合、複数テナントを跨った機能では、テナント間で移動したデバイスを同一デバイスとして扱いたいという要望がある。テナント間でデバイスを移動した際は、移動元のテナントのデバイス情報を削除し、移動先のテナントにデバイス情報を追加しただけでは、複数テナントを跨った機能において、移動したデバイスを同一デバイスとして扱えない。
【００７２】
本実施例では、複数テナントを跨った機能において、テナント間で配置変更されたデバイスを同一デバイスとして扱えるようにするための仕組みについて説明する。なお、以下では実施例１との差分について説明する。
【００７３】
＜管理サーバーの機能構成＞
図１１は、実施例２における管理サーバー１０３の機能構成の一例を示すブロック図である。図１１において４０１〜４０３は、実施例１で示した通りである。１１０１はテナント情報管理部であり、テナントに関する情報を管理する。
【００７４】
＜テナント情報テーブル＞
図１２は、図１１に示したテナント情報管理部１１０１が管理するテナント情報の構成の一例を示す、テナント情報テーブルの図である。
【００７５】
テナントＩＤ１２０１は、テナントをシステム内で一意に識別するＩＤを示す。テナントＩＤ１２０１は、新規にテナント情報を登録する際に、テナント情報管理部１１０１が発行して登録する。
【００７６】
テナント名１２０２は、テナントの名称を示す。
【００７７】
アクセス可能テナントＩＤ１２０３は、該当行のテナントが、アクセス可能な別テナントのテナントＩＤを示す。図１２は、テナント情報１２１０のテナントと、テナント情報１２１１のテナントは、同一の会社の拠点が別テナントとして管理されている例であり、相互にアクセスができるように設定されている。一方、テナント情報１２１０のテナントと、テナント情報１２１２のテナントは、異なる会社が別テナントとして管理されている例であり、相互にアクセスすることができないように設定されている。
【００７８】
＜デバイス情報テーブル＞
図１３は、実施例２におけるデバイス情報管理部４０２が管理するデバイス情報の構成の一例を示す、デバイス情報テーブルの図である。図１３−Ａは、テナント間でデバイスを移動する前の状態を示す、デバイス情報テーブルの図である。図１３−Ｂは、テナント間でデバイスを移動した後の状態を示す、デバイス情報テーブルの図である。図１３−Ａと１３−Ｂの差異については、図１４を用いて後述する。なお、本実施例において、デバイス情報とは、デバイス識別子およびデバイス固有情報、デバイスの管理状態、デバイスの属するテナント情報を指す。
【００７９】
図１３において６０１〜６０５は、実施例１で示した通りである。１３０１の列はテナントＩＤであり、該当行のデバイス属するテナントのテナント識別情報を示す。
【００８０】
＜デバイス情報の登録・変更処理＞
図１４は、実施例２におけるデバイス情報管理部４０２が実行するデバイス固有情報の新規登録処理の手順例を示すフローチャートである。本処理は、実施例１の図１０で示したデバイス固有情報の登録・変更処理を拡張したものである。
【００８１】
Ｓ１００１で、デバイス情報管理部４０２は、新規登録対象のデバイス固有情報が、デバイス情報テーブルに登録済であるか否かを判定する。本判定の詳細は、実施例１で示した通りである。ここで、デバイス情報管理部４０２が、デバイス情報テーブルに登録済であると判定した場合はＳ１００３に進む。一方、デバイス情報管理部４０２が、デバイス情報テーブルに登録済ではないと判定した場合はＳ１４０１に進む。
【００８２】
Ｓ１００２〜Ｓ１００５は、実施例１で示した通りである。
【００８３】
Ｓ１４０１で、デバイス情報管理部４０２は、新規登録対象のデバイス固有情報について、登録対象のテナントがアクセス可能な別テナントのデバイス情報テーブルに登録済であるか否かを判定する。アクセス可能な別テナントとは、例えば、相互にアクセスができるように設定されている、同一の会社の他拠点のテナントなどである。ここで、デバイス情報管理部４０２が、アクセス可能な別テナントのデバイス情報テーブルに登録済であると判定した場合はＳ１４０２に進む。一方、デバイス情報管理部４０２が、アクセス可能な別テナントのデバイス情報テーブルに登録済ではないと判定した場合はＳ１００２に進む。なお、アクセス可能な別テナントが存在しない場合も、デバイス情報管理部４０２は、Ｓ１００２に処理を進める。
【００８４】
続いてＳ１４０２で、デバイス情報管理部４０２は、新規登録対象のデバイス固有情報について、別テナントのデバイス情報テーブルに登録されているデバイスＩＤ６０１を取得する。さらに、デバイス情報管理部４０２は、登録対象のテナントのＩＤ１２０１とＳ１４０２で取得したデバイスＩＤを用いてデバイス固有情報を新規追加して、本処理を終了する。
【００８５】
本処理により、移動先のテナントにデバイス固有情報を登録すると、移動先のテナントにおけるデバイスＩＤは、移動元のテナントにおけるデバイスＩＤと同一になる。前述したように、図１３−Ａはテナント間でデバイスを移動する前の状態を示し、図１３−Ｂはテナント間でデバイスを移動した後の状態を示している。具体的には、デバイス情報１３１０の示すデバイスをテナント間で配置変更され、デバイスの属するテナントが変更された例である。本処理により、配置変更後のテナントに登録されたデバイス情報１３１１のデバイスＩＤは、配置変更前のテナントに登録されているデバイス情報１３１０と同一になる。これにより、相互にアクセス可能な複数テナントを跨った機能において、テナント間で移動したデバイスを同一デバイスとして扱えるようになる。なお、相互にアクセスすることのできないテナント間でデバイスを移動させた場合は、それぞれのテナントで異なるデバイスＩＤを使ってデバイス固有情報および利用実績データを管理する。例えば、移動元のテナントと移動先のテナントが、それぞれ異なる会社のテナントである場合などが該当する。
【００８６】
また、図１３−Ｂでは、移動元のテナントのデバイス情報１３１０の管理状態は管理外になっている。通常、同一デバイスを同時に複数テナントで管理することは考えられない。そのため、該当デバイスを現在管理しているテナント以外のテナントにおけるデバイス情報では、管理状態が「管理外」になるはずである。しかし、テナント間で移動する際に、ユーザーがＷｅｂページなどで、移動元のテナントにおけるデバイスの管理状態を適切に変更するのは手間である。
【００８７】
この課題を解決するために、本処理のＳ１４０１において、デバイス情報管理部４０２が、登録対象のデバイス固有情報が別テナントにおけるデバイス情報テーブルに登録済であると判定した場合に、別テナントにおけるデバイス情報の管理状態を管理外にする。また、デバイス情報管理部４０２が、自動で別テナントのデバイス情報の管理状態を管理外にするのではなく、管理外にして良いか、または登録対象のデバイス固有情報を登録して良いかをＷｅｂページなどでユーザーに確認しても良い。その場合、デバイス情報管理部４０２は、確認結果に従いデバイス固有情報の登録または変更する。
【００８８】
（他の実施例）
本発明は、上述した実施形態を適宜組み合わせることにより構成された装置あるいはシステムやその方法も含まれるものとする。
【００８９】
ここで、本発明は、上述した実施形態の機能を実現する１つ以上のソフトウェア（プログラム）を実行する主体となる装置あるいはシステムである。また、その装置あるいはシステムで実行される上述した実施形態を実現するための方法も本発明の１つである。また、そのプログラムは、ネットワークまたは各種記憶媒体を介してシステムあるいは装置に供給され、そのシステムあるいは装置の１つ以上のコンピュータ（ＣＰＵやＭＰＵ等）によりそのプログラムが読み出され、実行される。つまり、本発明の１つとして、さらにそのプログラム自体、あるいは当該プログラムを格納したコンピュータにより読み取り可能な各種記憶媒体も含むものとする。また、上述した実施形態の機能を実現する回路（例えば、ＡＳＩＣ）によっても、本発明は実現可能である。
【符号の説明】
【００９０】
１０３  管理サーバー
４０２  デバイス情報管理部
【図１】
0006576160.tif 000002
【図２】
0006576160.tif 000003
【図３】
0006576160.tif 000004
【図４】
0006576160.tif 000005
【図５】
0006576160.tif 000006
【図６】
0006576160.tif 000007
【図７】
0006576160.tif 000008
【図８】
0006576160.tif 000009
【図９】
0006576160.tif 000010
【図１０】
0006576160.tif 000011
【図１１】
0006576160.tif 000012
【図１２】
0006576160.tif 000013
【図１３】
0006576160.tif 000014
【図１４】
0006576160.tif 000015